(57)【要約】【課題】作業装置の出力値が目標の出力値からずれてしまうことを抑制することができる。【解決手段】走行用駆動源１と、作業装置２５とを有し、作業装置２５の作動時に作業装置２５の出力値を可変する出力値調整手段２７と、作業装置２５の出力値において予め決められている上限値及び下限値のうちの少なくとも一方の値に対応する走行用駆動源１の駆動値を記憶する記憶手段３３と、駆動値を微調整する微調整手段２７と、微調整された値に対応する走行用駆動源１の駆動値を設定値として決定して記憶させる決定手段２８とを備えている。【選択図】図８
2020002846.tif 000002
【特許請求の範囲】
【請求項１】
走行用駆動源と、該走行用駆動源の駆動力を受けて作動する作業装置とを有する特装車であって、
前記作業装置の作動時に該作業装置の出力値を可変すべく前記走行用駆動源の駆動値を調整するための出力値調整手段と、前記作業装置の出力値において予め決められている上限値及び下限値のうちの少なくとも一方の出力値に対応する前記走行用駆動源の駆動値を記憶する記憶手段と、前記駆動値を微調整する微調整手段と、該微調整した値を正規の上限値及び正規の下限値のうちの少なくとも一方の正規の出力値とし該正規の出力値に対応する前記走行用駆動源の駆動値を設定値として決定して前記記憶手段に記憶させる決定記憶手段とを備えていることを特徴とする特装車。
【請求項２】
前記記憶手段は複数の前記走行用駆動源と少なくとも１つの前記作業装置とから１つずつ選択された複数の組み合わせにおける各組み合わせの駆動値及び出力値の全てを記憶する手段であり、前記記憶手段に記憶されている複数の駆動値の中から１つの駆動値を選択するとともに該駆動値に対応する前記作業装置の上限値及び下限値のうちの少なくとも一方の出力値を選択する選択手段を備え、前記選択手段で選択される１つの駆動値と該駆動値に対応する作業装置の上限値及び下限値のうちの少なくとも一方の出力値が、前記読み出した前記少なくとも一方の出力値及び該出力値に対応する前記駆動値であることを特徴とする請求項１に記載の特装車。
【請求項３】
前記走行用駆動源と前記作業装置とが電気的に接続されていることを検出する検出手段と、該検出手段からの検出信号に基づいて前記走行用駆動源の駆動値を前記記憶手段から読み出して前記作業装置を作動させることを特徴とする請求項１又は２に記載の特装車。
【請求項４】
走行用駆動源の駆動力を受けて作動する作業装置の出力値の設定を調整するための特装車における作業装置の出力値調整方法であって、
前記作業装置の出力値において予め決められている上限値及び下限値のうちの少なくとも一方の出力値及び該出力値に対応する前記走行用駆動源の駆動値を記憶する記憶工程と、
前記記憶されている上限値及び下限値のうちの少なくとも一方の出力値及び該出力値に対応する前記駆動値を読み出す読出工程と、
前記走行用駆動源の駆動値により駆動されて作動する前記作業装置の出力の実測値を測定する測定工程と、
前記測定工程で測定した実測値と前記読出工程で読み出した少なくとも一方の出力値とを表示する表示工程と、
前記表示工程で表示された実測値を微調整する微調整工程と、
前記微調整工程で微調整された値を正規の上限値及び正規の下限値のうちの一方の正規の出力値とし該正規の出力値に対応する前記走行用駆動源の駆動値を設定値として決定して記憶させる決定記憶工程と、
を備えていることを特徴とする特装車における作業装置の出力値調整方法。
【発明の詳細な説明】
【技術分野】
【０００１】
本発明は、走行用駆動源と、該走行用駆動源の駆動力を受けて作動する作業装置とを有する特装車及び特装車における作業装置の出力値調整方法に関する。
【背景技術】
【０００２】
上記特装車の一例である粉粒体運搬車を組み立てる場合には、エンジン（走行用駆動源）が搭載されたシャシをシャシメーカから調達し、そのシャシにエンジンの駆動力を受けて作動するコンプレッサ（作業装置）を取り付けることになる。エンジンの制御装置に電圧値に応じた信号を出力し、エンジン回転数を制御する。前記シャシメーカは、多数存在し、シャシメーカ毎にエンジンの仕様（電圧値に対するエンジン回転数）が異なっている場合が多い。また、作業装置側に備えられた記憶手段には、エンジンの回転数が予め設定されている目標の最小エンジン回転数となる最小電圧値（エンジン制御に用いる電圧値）がシャシメーカ毎に予め記憶されている。そして、特装車の組み立て時に、組み立てているシャシメーカの最小電圧値を、シャシメーカ毎に予め記憶されている複数の最小電圧値の中からディップスイッチを操作することにより読み込む。読み込んだ最小電圧値を設定値として記憶させる（例えば、特許文献１）。
【先行技術文献】
【特許文献】
【０００３】
【特許文献１】特許第５２６８７３５号公報
【発明の概要】
【発明が解決しようとする課題】
【０００４】
ところで、走行用駆動源及びこれに組み合わされる作業装置は、同一メーカのものであっても、個体差があるため、作業装置が記憶されている最小電圧値を読み込んで設定値にしてエンジンを駆動しても、目標とする最小エンジン回転数から外れている場合がある。例えば、前記最小エンジン回転数が目標の最小回転数から下回っていると、コンプレッサが予想している出力にならないという不都合がある。
【０００５】
そこで本発明は、作業装置の出力値が目標の出力値からずれていても、修正して問題なく作動できる特装車及び特装車における作業装置の出力値調整方法を提供することを目的とする。
【課題を解決するための手段】
【０００６】
本発明の特装車は、走行用駆動源と、該走行用駆動源の駆動力を受けて作動する作業装置とを有する特装車であって、前記作業装置の作動時に該作業装置の出力値を可変すべく前記走行用駆動源の駆動値を調整するための出力値調整手段と、前記作業装置の出力値において予め決められている上限値及び下限値のうちの少なくとも一方の出力値に対応する前記走行用駆動源の駆動値を記憶する記憶手段と、前記駆動値を微調整する微調整手段と、該微調整した値を正規の上限値及び正規の下限値のうちの少なくとも一方の正規の出力値とし該正規の出力値に対応する前記走行用駆動源の駆動値を設定値として決定して前記記憶手段に記憶させる決定記憶手段とを備えていることを特徴としている。
【０００７】
上記構成によれば、記憶手段に記憶されている作業装置の上限値及び下限値のうちの少なくとも一方の出力値に対応する走行用駆動源の駆動値を読み出す。この読み出された駆動値で走行用駆動源が駆動されて作動する作業装置の出力の実測値を測定する。このとき、実測値と読み出された駆動値に対応する出力値との間に差がある場合には、駆動値を微調整手段で微調整して実測値を読み出した駆動値に対応する出力値に一致させるあるいは読み出した駆動値に対応する出力値に近付ける。そして、決定記憶手段で微調整した修正された値を正規の上限値及び正規の下限値のうちの少なくとも一方の正規の出力値とし、その正規の出力値に対応する走行用駆動源の駆動値を設定値として決定して記憶手段に記憶させることができる。しかも、手動で作業装置の出力値を一から合わせる場合に比べて調整幅が小さくて済み、調整にかかる手間を少なくできる。正規の出力値に対応する走行用駆動源の駆動値を設定した後は、作業装置の出力値が目標の出力値からずれてしまうことを抑制することができるので、出力値調整手段で作業装置の出力値を可変して思い通りの作業を行うことができる。
【０００８】
また、本発明の特装車は、前記記憶手段が複数の前記走行用駆動源と少なくとも１つの前記作業装置とから１つずつ選択された複数の組み合わせにおける各組み合わせの駆動値及び出力値の全てを記憶する手段であり、前記記憶手段に記憶されている複数の駆動値の中から１つの駆動値を選択するとともに該駆動値に対応する前記作業装置の上限値及び下限値のうちの少なくとも一方の出力値を選択する選択手段を備え、前記選択手段で選択される１つの駆動値と該駆動値に対応する作業装置の上限値及び下限値のうちの少なくとも一方の出力値が、前記読み出した前記少なくとも一方の出力値及び該出力値に対応する前記駆動値であってもよい。
【０００９】
上記のように、記憶手段に記憶されている全てのデータの中から、選択手段により１つの駆動値及び該駆動値に対応する作業装置の上限値及び下限値のうちの少なくとも一方の値を選択することができるので、あらゆる組み合わせの走行用駆動源及び作業装置にも対応した正規の出力値に対応する走行用駆動源の駆動値を設定値として決定して記憶手段に記憶させることができる。
【００１０】
また、本発明の特装車は、前記走行用駆動源と前記作業装置とが電気的に接続されていることを検出する検出手段と、該検出手段からの検出信号に基づいて前記走行用駆動源の駆動値を前記記憶手段から読み出して前記作業装置を作動させるように構成されていてもよい。
【００１１】
上記構成によれば、検出手段からの検出信号に基づいて走行用駆動源の駆動値を読み出して作業装置を作動させるので、走行用駆動源と作業装置とが電気的に接続されていない状態で、実測値の微調整が行われることがない。
【００１２】
また、本発明の特装車における作業装置の出力値調整方法は、走行用駆動源の駆動力を受けて作動する作業装置の出力値の設定を調整するための特装車における作業装置の出力値調整方法であって、前記作業装置の出力値において予め決められている上限値及び下限値のうちの少なくとも一方の出力値及び該出力値に対応する前記走行用駆動源の駆動値を記憶する記憶工程と、前記記憶されている上限値及び下限値のうちの少なくとも一方の出力値及び該出力値に対応する前記駆動値を読み出す読出工程と、前記走行用駆動源の駆動値により駆動されて作動する前記作業装置の出力の実測値を測定する測定工程と、前記測定工程で測定した実測値と前記読出工程で読み出した少なくとも一方の出力値とを表示する表示工程と、前記表示工程で表示された実測値を微調整する微調整工程と、前記微調整工程で微調整された値を正規の上限値及び正規の下限値のうちの一方の正規の出力値とし該正規の出力値に対応する前記走行用駆動源の駆動値を設定値として決定して記憶させる決定記憶工程と、を備えていることを特徴としている。
【００１３】
上記構成によれば、記憶されている走行用駆動源の駆動値を読み出すとともに読み出された駆動値で走行用駆動源が駆動されて作動する作業装置の出力の実測値が表示される。このとき、実測値と読み出した出力値との間に差がある場合には、実測値を微調整して読み出した出力値に合わせる又は読み出した出力値に近付ける。そして、決定記憶工程で微調整した修正された値を正規の上限値及び正規の下限値のうちの少なくとも一方の正規の出力値とし、その正規の出力値に対応する走行用駆動源の駆動値を設定値として決定して記憶手段に記憶させることができる。しかも、手動で作業装置の出力値を一から合わせる場合に比べて調整幅が小さくて済み、調整にかかる手間を少なくできる。正規の出力値に対応する走行用駆動源の駆動値を設定した後は、作業装置の出力値が目標の出力値からずれてしまうことを抑制することができるので、作業装置の出力値を可変して思い通りの作業を行うことができる。
【発明の効果】
【００１４】
本発明は、微調整して修正された正規の出力値に対応する走行用駆動源の駆動値を設定値として決定して記憶させる構成であるので、作業装置の出力値が目標の出力値からずれていても、修正して問題なく作動できる特装車及び特装車における作業装置の出力値調整方法を提供することができる。
【図面の簡単な説明】
【００１５】
【図１】特装車の配線構造を示す概略図である。
【図２】（ａ）〜（ｄ）は４種類の第３コネクタと１種類の第４コネクタの内部の構成を示す図である。
【図３】（ａ）〜（ｄ）は図２（ａ）〜（ｄ）で示したそれぞれの第３コネクタの幅方向に併設されている別のコネクタ部分を示す内部の構成を示し、これら第３コネクタの別のコネクタ部分に接続可能な図２（ａ）〜（ｄ）で示したそれぞれの第４コネクタの幅方向に併設されている別のコネクタ部分を示す内部の構成を示す図である。
【図４】粉粒体運搬車に取り付けられるメータパネルの正面図である。
【図５】同メータパネルのメータ画面を示す正面図である。
【図６】同メータパネルの設定画面を示す正面図である。
【図７】作業装置の出力の下限値及び上限値を設定する過程を示すフローチャートである。
【図８】作業装置の出力の下限値及び上限値を設定する時に使用するスイッチとエンジンとコンプレッサとの関係を示すブロック図である。
【発明を実施するための形態】
【００１６】
以下、本発明の一実施形態に係る特装車としての粉粒体運搬車について説明する。図示していないが、粉粒体運搬車は、走行用駆動源としてのエンジンが搭載された車体をシャシメーカから調達し、その車体にエンジンの駆動力を受けて作動する作業装置を取り付けて組み立てられる。なお、シャシメーカ毎にエンジンの仕様（例えば後述の電圧値に対するエンジン回転数）が異なっている。なお、シャシメーカは、前記のように作業装置を除くエンジンが搭載された車体を製造するメーカであり、エンジンが搭載された車体に作業装置を取り付けて組み立てた特装車を依頼者（顧客）に出荷するメーカを架装メーカという。最小エンジン回転数や最大エンジン回転数となる最小電圧値や最大電圧値は、エンジン制御に用いる電圧値（駆動値）となる。
【００１７】
作業装置は、粉粒体を収容するタンクに導入用の配管を通して加圧エアを導入するコンプレッサから構成されている。このコンプレッサからの加圧エアによってタンク内の粉粒体が流動し、排出用の配管を通して外部へ排出できるように構成されている。コンプレッサには、コンプレッサの回転数（出力値）を検出して出力値の実測値を測定する測定手段としての回転数センサが設けられている。作業装置とは、駆動源から直接機械的な運動を受けるものである。例えば、本実施形態では、コンプレッサがエンジンの回転運動を受けている。
【００１８】
特装車（粉粒体運搬車）の配線構造は、図１に示すように、エンジン１の回転数を一定に保つための電子ガバナ２から延びる駆動源側配線（駆動源側ケーブル）３と、駆動源側配線３の延出端に備える第１コネクタ４に接続される第２コネクタ５を一端に備え、かつ、他端にコントローラ８に備える第４コネクタ７に接続される第３コネクタ６を備えるコントローラ側配線（コントローラ側ケーブル）９とを備えている。第２コネクタ５と第３コネクタ６と２つのコネクタ５，６を接続するコントローラ側配線（コントローラ側ケーブル）９とで後述する設定用ハーネス（選択手段）を構成している。ここでは、設定用ハーネスを４種類備えている。第１コネクタ４の形状は、シャシメーカ毎に異なる形状になっており、第２コネクタ５の形状を、シャシメーカ毎に異なる第１コネクタ４の形状に応じた形状にしている。このように構成することによって、第２コネクタ５の形状を見るだけでシャシメーカ毎のコントローラ側配線９を見分けることができる。第４コネクタ７は、シャシメーカ毎に共通の形状になっている。これはコントローラ８を共通化できるためである。シャシメーカ毎の第１コネクタ４を共通の第４コネクタ７に接続するための配線（変換配線）が必要となる。そこで、本願発明では、この変換配線を構成する第３コネクタ６に後述する選択回路１１を設けている。そのため、変換配線とは別に選択回路を備える専用の配線が不要になる。第１コネクタ４及び第２コネクタ５のうちの一方が雌型に構成され、この雌型に差し込み可能に他方が雄型に構成される。また、第３コネクタ６及び第４コネクタ７も同様に、一方が雌型に構成され、この雌型に差し込み可能に他方が雄型に構成される。
【００１９】
コントローラ８の記憶手段３３には、シャシメーカ毎に異なる複数の走行用駆動源（ここではエンジン）の仕様に関する情報が記憶されている。情報としては、シャシメーカ毎のエンジンのアイドリング回転数、及び、エンジン１の最低回転数及び最高回転数であるが、これらに限定されない。
【００２０】
図２及び図３に示すように、前記第４コネクタ７には、複数の情報のうちの１つの情報にアクセスするための複数の被選択回路１０を備え、前記第３コネクタ６は、第４コネクタ７との接続により複数の被選択回路１０のうちの一つの被選択回路１０に電気的に接続する選択回路１１を備えている。したがって、第４コネクタ７と第３コネクタ６とを接続するだけで、複数の被選択回路１０の中から一つの被選択回路１０に電気的に接続されるので、例えば故障したコントローラを取り外して、新たなコントローラに交換する作業時において、特装車に搭載されている走行用駆動源（エンジン）の仕様に関する情報を間違えることなく選択して記憶することができる。
【００２１】
各被選択回路１０は、シャシメーカ毎に異なるエンジンのアイドリング回転数を設定するアイドリング回路１２と、エンジンの駆動力により作業装置（コンプレッサ）を作動させて作業を行う時のコンプレッサの回転数を設定する作業回路１３とを更に備えている。そして、第３コネクタ６を第４コネクタ７に接続することにより特装車に搭載されるエンジンのアイドリング回路１２及びコンプレッサの作業回路１３を同時に接続する。このように第３コネクタ６を第４コネクタ７に接続することにより、特装車に搭載されるエンジンのアイドリング回路１２及びコンプレッサの作業回路１３を接続して、特装車に搭載されるエンジンのアイドリング回転数及びコンプレッサの回転数を同時に設定することができる。
【００２２】
この実施形態では、コントローラ８、つまり後述する制御部３０の記憶手段３３（図８参照）に、４社のシャシメーカＡ，Ｂ，Ｃ，Ｄそれぞれのエンジンのアイドリング回転数及びコンプレッサの回転数（最小エンジン回転数又は最大エンジン回転数で回転される回転数）が記憶されている。この記憶しているとは、プログラムとしてのソフト的に記憶するものや、回路としてのハード的に記憶するものの両方を含む。第３コネクタ６は、４種類の第３コネクタ６ａ，６ｂ，６ｃ，６ｄから構成され、第１番目の第３コネクタ６ａは、Ａ社のシャシメーカのアイドリング回路１２を選択するための第１選択回路１４と、Ａ社に組み合わされるコンプレッサメーカのコンプレッサの回転数の上限値及び下限値を読み出すための作業回路１３を選択するための第２選択回路１８とを備えている。また、第２番目の第３コネクタ６ｂは、Ｂ社のシャシメーカのアイドリング回路１２を選択するための第１選択回路１５と、Ｂ社に組み合わされるコンプレッサメーカのコンプレッサの回転数の上限値及び下限値を読み出すための作業回路１３を選択するための第２選択回路１９とを備えている。また、第３番目の第３コネクタ６ｃは、Ｃ社のシャシメーカのアイドリング回路１２を選択するための第１選択回路１６と、Ｃ社に組み合わされるコンプレッサメーカのコンプレッサの回転数の上限値及び下限値を読み出すための作業回路１３を選択するための第２選択回路２０とを備えている。また、第４番目の第３コネクタ６ｄは、Ｄ社のシャシメーカのアイドリング回路１２を選択するための第１選択回路１７と、Ｄ社に組み合わされるコンプレッサメーカのコンプレッサの回転数の上限値及び下限値を読み出すための作業回路１３を選択するための第２選択回路２１とを備えている。
【００２３】
具体的には、図２（ａ）〜（ｄ）に、第４コネクタ７のアイドリング回路１２と第３コネクタ６の４種類の第１選択回路１４，１５，１６，１７とを示している。第４コネクタ７は、シャシメーカ４社のＡ〜Ｄの抵抗値の異なる抵抗を備え、後述するメインスイッチ２６が走行モードに切替えられている時に各シャシメーカの抵抗に導通して、各シャシメーカのエンジンのアイドリング回転数を読み出すとともに電圧値を電子ガバナ２に出力するようになっている。つまり、異なる抵抗値により電圧値が異なり、その異なる電圧値に応じて各シャシメーカのアイドリング回転数を読み出すようにしている。図２（ａ）では、抵抗Ａに接続されることによりシャシメーカＡ社のエンジンのアイドリング回転数を読み出す。図２（ｂ）では、抵抗Ｂに接続されることによりシャシメーカＢ社の場合のエンジンのアイドリング回転数を読み出す。図２（ｃ）では、抵抗Ｃに接続されることによりシャシメーカＣ社のエンジンのアイドリング回転数を読み出す。図２（ｄ）では、抵抗Ｄに接続されることによりシャシメーカＤ社のエンジンのアイドリング回転数を読み出す。
【００２４】
図３（ａ）〜（ｄ）に、第４コネクタ７の作業回路１３と第３コネクタ６の４種類の第２選択回路１８，１９，２０，２１とを示している。なお、第２選択回路２１は、回路が無い状態になっている。第４コネクタ７には、ＧＮＤ２２，２３と、ＧＮＤ２２，２３につなぐと出力値０となり、ＧＮＤ２２，２３につながないと出力値１となるＳＥＴ１及びＳＥＴ２とを備えている。各第３コネクタ６を第４コネクタ７に接続することにより、各シャシメーカのエンジンの上限値（最大エンジン回転数）と下限値（最小エンジン回転数）とを（後述するプリセット指令値という）読み出すようになっている。図３（ａ）では、ＳＥＴ１と下側のＧＮＤ２３とを接続することにより出力値が「０」「１」となり、シャシメーカＡ社のエンジンの上限値と下限値とを読み出す。図３（ｂ）では、ＳＥＴ２と下側のＧＮＤ２３とを接続することにより出力値が「１」「０」となり、シャシメーカＢ社のエンジンの上限値と下限値とを読み出す。図３（ｃ）では、ＳＥＴ１と下側のＧＮＤ２３及びＳＥＴ２と上側のＧＮＤ２２とを接続することにより出力値が「０」「０」となり、シャシメーカＣ社のエンジンの上限値と下限値とを読み出す。図３（ｄ）では、第３コネクタ６に回路が無い状態であり、第４コネクタ７に接続しない非接続状態にすることにより出力値が「１」「１」となり、シャシメーカＤ社のエンジンの上限値と下限値とを読み出す。なお、各シャシメーカＡ〜Ｄのエンジンの上限値と下限値は、エンジンの出力で回転されるコンプレッサの上限値と下限値に相当する。
【００２５】
特装車には、図４に示すメータパネル２４が取り付けられている。このメータパネル２４は、タンク内の粉粒体を排出する際やコンプレッサ２５（図５参照）の回転数の上限値及び下限値のうちの少なくとも一方を設定する際に使用する。具体的には、メータパネル２４の右端部に上から順に、メインスイッチ２６、コンプレッサ２５の回転数調整スイッチ２７、画面切替スイッチ２８を備えるとともに、左右中央部に表示部としての液晶のメータ画面２９を備えている。
【００２６】
メインスイッチ２６は、トグルスイッチからなり、操作レバーを一回だけ上側又は下側に倒すことにより、ＯＮ又はＯＦＦ状態に切り替わり、その切替状態を維持するオルタネイト動作型に構成されている。ここでは、操作レバーを上側に倒すと、コンプレッサ２５を用いる作業時（ＯＮ状態）に切替えられ、次の操作（下側への操作）が行われるまでその状態を維持する。また、操作レバーを下側に倒すと、車両を走行させる走行時（ＯＦＦ状態）に切替えられ、次の操作（上側への操作）が行われるまでその状態を維持する。
【００２７】
回転数調整スイッチ２７は、コンプレッサ２５の作動時にコンプレッサ２５の出力値である回転数を可変すべくエンジンの駆動値であるエンジン回転数を調整するための出力値調整手段を構成している。回転数調整スイッチ２７は、具体的には、トグルスイッチからなり、非操作時に、図４に示す水平姿勢となるニュートラル位置に戻るように付勢されており、操作時に、操作レバーを上側又は下側に倒している時だけ、ＯＮ状態となるモーメンタリ動作型に構成されている。ここでは、操作レバーを上側に倒すと、エンジンのエンジン回転数を上げることにより、コンプレッサ２５の回転数を上げる。また、操作レバーを下側に倒すと、エンジンのエンジン回転数を下げることにより、コンプレッサ２５の回転数を下げる。なお、コンプレッサ２５の回転数を連続して変更したい場合には、操作レバーを上側又は下側に倒した状態を保持しなければならない。この回転数調整スイッチ２７は、コンプレッサ２５の最低回転数（下限値）及び最高回転数（上限値）となるエンジンのエンジン回転数を微調整するときの微調整手段としての微調整スイッチとしても機能する。
【００２８】
画面切替スイッチ２８は、トグルスイッチからなり、非操作時に、図４に示す水平姿勢となるニュートラル位置に戻るように付勢されており、操作時に、操作レバーを上側又は下側に倒している時だけ、ＯＮ状態となるモーメンタリ動作型に構成されている。ここでは、操作レバーを上側に倒すと、画面の切替えを行い、例えば図２に示すメータ画面２９に切り替わる。また、操作レバーを下側に倒し、その倒した状態を所定時間（数秒）維持する（長押しする）と、トリップメータ（走行距離計）の値をリセットすることができる。この画面切替スイッチ２８は、前記回転数調整スイッチ２７で合わせたコンプレッサ２５の最低回転数及び最高回転数のときのエンジンのエンジン回転数を決定して記憶するための決定記憶手段としての決定記憶スイッチとしても機能する。
【００２９】
図５に示すメータ画面２９は、エンジン１（図８参照）からの動力により作動されるコンプレッサ２５の回転数（図２では８５０ｒｐｍ）が測定手段により測定され、その実測値が表示されるとともに、タンク内の圧力計の計測値（図５では０．１５０ＭＰａ）及び配管内の圧力計の測定値（図５では０．１７５ＭＰａ）が表示されている。なお、図示していないが、作動情報画面にも切替えられるようになっており、作動情報画面には、コンプレッサの通算稼働時間、本日のコンプレッサの稼働時間、コンプレッサの温度、エラー表示及びエラー履歴などが表示される。
【００３０】
また、図８に示すように、回転数調整スイッチ２７及び画面切替スイッチ２８からの操作信号が制御部３０に入力されるとともに、エンジン１とコンプレッサ２５とを接続状態にする又は遮断状態にすることができる動力取出装置（ＰＴＯ）３１、動力取出装置３１を接続状態と遮断状態とに切替える切替スイッチ３２が前記制御部３０に接続されている。
【００３１】
制御部３０は、コントローラ８と記憶手段３３とを備えている。記憶手段３３には、エンジン回転数の上限値の電圧値と下限値の電圧値がプリセット指令値としてシャシメーカ毎に複数記憶される。詳述すれば、複数のエンジン１と少なくとも１つのコンプレッサ２５とから１つずつ選択された複数の組み合わせにおける各組み合わせの駆動値（エンジン回転数の上限値の電圧値と下限値の電圧値）及び出力値（コンプレッサ２５の回転数の下限値及び上限値）の全てを記憶する手段である。そして、前述したように、記憶手段３３に記憶されている複数の駆動値の中から１つの駆動値を選択するとともに駆動値に対応するコンプレッサ２５の上限値及び下限値のうちの少なくとも一方の出力値が第４コネクタ７に接続される第３コネクタ６を４種類の第３コネクタ６ａ〜６ｄの中から選択することによって、１つの駆動値と駆動値に対応するコンプレッサ２の上限値及び下限値のうちの少なくとも一方の出力値が、記憶手段３３の中から読み出される。このように構成することで、あらゆる組み合わせのエンジン１及びコンプレッサ２５にも対応した正規の出力値に対応する走行用駆動源の駆動値を設定値として決定して記憶手段３３に記憶させることができる。本実施形態では、前記コンプレッサの回転数は、コンプレッサメーカ毎の上限と下限の差が少ないため、１つの回転数が記憶されている。また、記憶手段３３には、コンプレッサ２５を作動させる作業時において、前記回転数調整スイッチ２７を上側又は下側に操作した時の上がり幅又は下がり幅であるゲインも記憶手段３３に記憶されている。ゲインもコンプレッサメーカ毎に差がないので、１つの値のみ記憶されている。そして、前記コントローラ８に４種類の設定用ハーネスのうちの１つの設定用ハーネスの第３コネクタ６ａ又は６ｂ又は６ｃ又は６ｄを差し込むことによって、設定モードに切替えるとともに、どのシャシメーカのエンジンであるかを特定し、特定したエンジンの最低回転数を発生させる電圧値及びそれに対応する（エンジンの回転力により回転される）コンプレッサ２５の回転数を選択して読み出す。読み出した電圧値及びコンプレッサ２５の回転数を後述する設定画面（図６参照）に表示する。
【００３２】
粉粒体運搬車を組み立てる場合に必要となる設定、つまりコンプレッサ２５の最低回転数（下限値）及び最高回転数（上限値）を設定する過程を図６及び図７に基づいて説明する。
【００３３】
まず、コントローラ１１を粉粒体運搬車に架装する（ステップＳ１）。次に、設定用ハーネスの第３コネクタ６をコントローラ８の第４コネクタ７に差し込むことで設定モードに切替える（ステップＳ２）。次に、エンジン１を始動させるとともに切替スイッチ３２をＯＮ操作して動力取出装置（ＰＴＯ）３１をＯＮ（接続状態）にし、メインスイッチ２６を上側に倒して「作業時」に切替える（ステップＳ３）。このとき、切替スイッチ３２のＯＮ信号により動力取出装置（ＰＴＯ）３１が電気的に接続された状態であると判断し、前記エンジン回転数の上限値の電圧値と下限値の電圧値及びそれぞれの電圧値で作動するコンプレッサ２５の回転数を読み出す（前記設定用ハーネスで選択手段を構成している）。これによりメータ画面２９が図６に示す設定画面に切り替わる。図６の上段に、最低回転設定時のコンプレッサ２５の回転数７００ｒｐｍ及び最高回転設定時のコンプレッサ２５の回転数９００ｒｐｍが表示されている。続いて、設定用ハーネスをコントローラ８に差し込むことで読み出された最低回転数に対応するエンジン１の駆動電圧値（プリセット指令値の２．２０Ｖ）でエンジン１を駆動する（ステップＳ４）。この駆動により、現在のエンジン１の駆動電圧値と測定手段で実測したコンプレッサ２５の回転数を表示する（ステップＳ５）。このとき、エンジン１やコンプレッサ２５の個体差により、予め記憶されている最低回転数（プリセット指令値）とは異なる表示となる。図６の上段では、電圧値が２．２０Ｖで回転数が７６０ｒｐｍとなっており、最低回転数を７６０ｒｐｍから７００ｒｐｍにするように、回転数調整スイッチ２７を下側に倒して調整する（図６の中段参照）。調整した後、画面切替スイッチ２８を下側へ長押しして最低回転数（正規の下限値）を設定する（ステップＳ６）。この設定した最低回転数（正規の下限値）を下限値として記憶手段３３に保存する（ステップＳ７）。保存後は、回転数調整スイッチ２７を上側に倒すことにより、回転数が最高回転数の９００ｒｐｍ（この時の電圧値は２．５０Ｖ）に上昇させる（図６の下段参照）。最高回転数が９００ｒｐｍになると、画面切替スイッチ２８を下側へ長押しして最高回転数を設定する（ステップＳ８）。この設定した最高回転数（正規の上限値）を上限値として記憶手段３３に保存する（ステップＳ９）。保存後は、差し込んだ設定用ハーネスをコントローラ８から抜くことで作業モードに切替える（ステップＳ１０）。切替え後は、コンプレッサ２５の作動確認を行って（ステップＳ１１）、作動が正常であると確認されると、設定作業を終了する。ここでは、最低回転数を７６０ｒｐｍから７００ｒｐｍに一致させるようにしたが、７００ｒｐｍに近付けるように最低回転数を調整してもよい。正規の出力値に対応するエンジン１の駆動値を設定値に決定して記憶した後は、コンプレッサ２５の出力値が目標の出力値からずれてしまうことを抑制することができるので、出力値調整手段２７でコンプレッサ２５の出力値を可変して思い通りの作業を行うことができる。また、手動でコンプレッサ２５の出力値を一から合わせる場合に比べて調整幅が小さくて済み、調整にかかる手間を少なくできる。
【００３４】
なお、シャシメーカ毎に最低回転数及び最高回転数を設定することができない禁止領域（最低領域及び最高領域の２つの領域）をそれぞれ設定することによって、エンジン１がエラーとなることを回避できるようにしている。
【００３５】
また、本発明は、特装車における作業装置の出力値調整方法を備えている。
つまり、走行用駆動源（ここでは、エンジン１）の駆動力を受けて作動する作業装置（ここではコンプレッサ２５）の出力値の設定を調整するための特装車における作業装置の出力値調整方法であって、前記作業装置の出力値において予め決められている上限値及び下限値のうちの少なくとも一方の出力値及び該出力値に対応する前記走行用駆動源の駆動値を記憶する記憶工程と、前記記憶されている上限値及び下限値のうちの少なくとも一方の出力値及び該出力値に対応する前記駆動値を読み出す読出工程と、前記走行用駆動源の駆動値により駆動されて作動する前記作業装置の出力の実測値を測定する測定工程と、前記測定工程で測定した実測値と前記読出工程で読み出した少なくとも一方の出力値とを表示する表示工程と、前記表示工程で表示された実測値を微調整する微調整工程と、前記微調整工程で微調整された値を正規の上限値及び正規の下限値のうちの一方の出力値とし該出力値に対応する前記走行用駆動源の駆動値を設定値として決定して記憶させる決定記憶工程と、を備えている。
【００３６】
本発明はその趣旨を逸脱しない範囲で種々変形が可能である。その他、各部の具体的構成についても上記実施形態に限られるものではない。例えば、本発明の特装車としては、粉粒体運搬車に限らない。作業装置を作動させる時に可変できる構成であってもよいし、可変でなく一定でもよい。ここで、エンジンで駆動される作業装置としては、作業装置で運動させた流体で積荷にエネルギーを加え、積荷を車内に積み込む又は車外に排出するものがある。なお、作業装置で運動させる流体が積荷そのものであるものも含む。本実施形態の粉粒体運搬車は、作業装置であるコンプレッサにより圧縮した空気（流体）で、粉粒体（積荷）に圧力を加え、積荷を排出している。作業装置で運動させる積荷そのものである例としては、タンクローリーがある。この場合、作業装置であるポンプで流体である石油（積荷）に圧力を加え、石油を積み込む又は排出している。また、エンジンで駆動する作業装置としては、作業装置で運動させた流体を機械的な運動に変換するアクチュエータを有するものがある。このアクチュエータで搭載している機械を動かすか、アクチュエータで動かされる機械により積荷を積み下ろす２種類のものがある。例えば、作動時にコンクリートの吐出量を調整するコンクリートポンプを備えるコンクリートポンプ車がある。このコンクリートポンプは、油圧ポンプと油圧シリンダとを有し、油圧ポンプ（作業装置）で圧力を加えた作動油（流体）で油圧シリンダ（アクチュエータ）を動かす。その油圧シリンダによりブーム（機械）を動かすか、別の油圧シリンダ（アクチュエータ）を動かしてコンクリートを排出する。なお、作動油に圧力を加えるものを油圧ポンプと言い、積荷に圧力を加えるものを積み降ろしポンプと言うことがある。油圧ポンプを備える特装車は、油圧ポンプの油圧により油圧アクチュエータを作動させる。油圧ポンプの吐出油量が作業装置の出力値に相当する。積み降ろしポンプを備える特装車として、本実施形態の粉粒体運搬車も含まれる。また、他の例として、作業装置で電力を作る塵芥車がある。塵芥車の作業装置が発電機である。塵芥車は、発電機からの電力をモータに供給し、モータにより油圧ポンプを駆動し、油圧ポンプで圧力を加えた作動油で油圧アクチュエータを駆動し、油圧アクチュエータにより積込装置を駆動してゴミを積み込む。
【００３７】
上記実施形態では、設定用ハーネスをコントローラ８に差し込むことによって、メータ画面を設定モードに切替えるようにしたが、設定モード切替スイッチのスイッチ操作により切り替えるようにしてもよい。
【００３８】
また、上記実施形態では、選択手段としてコントローラ８に設定用ハーネスを差し込むことにより、記憶されている全てのデータの中から１つのエンジン１の駆動値とこれに対応するコンプレッサ２５の出力値とを読み出すようにしたが、シャシメーカ毎に記憶されている複数の値を選択する複数のディップスイッチを基板上に設け、特定のディップスイッチを操作することにより記憶されている全てのデータの中から１つのエンジン１の駆動値とこれに対応するコンプレッサ２５の出力値とを読み出すようにしてもよい。
【００３９】
また、上記実施形態では、記憶手段に、エンジン回転数をシャシメーカ毎に複数記憶し、コンプレッサの回転数を１つ記憶し、回転数調整スイッチ２７の上がり幅（又は下がり幅）となるゲインを１つ記憶したが、次のように記憶してもよい。エンジン回転数を複数、コンプレッサを複数、ゲインを複数記憶してもよいし、エンジン回転数を複数、コンプレッサを複数、ゲインを１つ記憶してもよいし、エンジン回転数を複数、コンプレッサを１つ、ゲインを複数記憶してもよいし、エンジン回転数を１つ、コンプレッサを複数、ゲインを複数記憶してもよいし、エンジン回転数を１つ、コンプレッサを複数、ゲインを１つ記憶してもよいし、エンジン回転数を１つ、コンプレッサを１つ、ゲインを複数記憶してもよいし、エンジン回転数を１つ、コンプレッサを１つ、ゲインを１つ記憶してもよい。
【００４０】
また、上記実施形態では、メインスイッチ２６、回転数調整スイッチ２７、画面切替スイッチ２８を全てトグルスイッチで構成したが、一部又は全部のスイッチを押しボタン式やスライド式に構成してもよい。また、回転数調整スイッチ４は回転操作式のボリュームから構成してもよい。
【００４１】
また、上記実施形態では、微調整スイッチを回転数調整スイッチ２７に兼用したが、別に設けた専用のスイッチであってもよい。また、これら微調整スイッチ及び回転数調整スイッチ２７を一つの押しボタンから構成し、押しボタンを押すことにより回転数を上げる上げ信号又は回転数を下げる下げ信号のみを出力する構成であってもよい。この場合、押しボタンを押して上限値に達すると、下限値に戻る構成にしてもよい。また、これとは反対に、押しボタンを押して下限値に達すると、上限値に戻る構成でもよい。
【００４２】
また、上記実施形態では、切替スイッチ３２のＯＮ信号により動力取出装置（ＰＴＯ）３１が電気的に接続された状態であると判断し、エンジン回転数の上限値の電圧値と下限値の電圧値及びそれぞれの電圧値で作動するコンプレッサ２５の回転数を読み出してエンジン１を駆動したが、エンジン１とコンプレッサ２５とが電気的に接続されていることを検出する検出手段と、検出手段からの検出信号に基づいてエンジン１の駆動電圧値を読み出してコンプレッサ２５を作動させてもよい。前記検出手段としては、コンプレッサ２５が回転しているかどうかを検出する回転センサやコンプレッサ２５が回転した時の音を検出する音センサから構成してもよい。このように、検出手段からの検出信号に基づいてエンジン（走行用駆動源）の駆動電圧値（駆動値）を読み出してコンプレッサ（作業装置）が作動されるので、エンジン（走行用駆動源）とコンプレッサ（作業装置）とが電気的に接続されていない状態で、実測値の微調整が行われることがない。
【００４３】
また、上記実施形態では、エンジン回転数の下限値の電圧値を読み出して調整し、調整した電圧値を正規の下限値として記憶した後、回転数を上限値まで上げていき、その時の回転数に対するエンジンの電圧値を正規の上限値として記憶する構成にしたが、これとは逆に、エンジン回転数の上限値の電圧値を読み出して調整し、調整した電圧値を正規の上限値として記憶してもよい。また、エンジン回転数の下限値又は上限値の電圧値を読み出して調整し、調整した電圧値を正規の下限値又は上限値として記憶した後、エンジン回転数の上限値又は下限値の電圧値を読み出して調整し、調整した電圧値を正規の上限値又は下限値として記憶してもよい。
【００４４】
また、上記実施形態では、走行用駆動源としてエンジン１を例に挙げたが、バッテリにより動く電動モータであってもよい。
【００４５】
また、上記実施形態では、測定手段と表示手段とを備えたものを示したが、それらを備えなくてもよい。この場合、別途回転数計測器を用いてコンプレッサ（作業装置）の回転数（実測値）を測定すればよい。また、作業装置の出力値は記憶せず、走行用駆動源の駆動値のみを記憶する構成であってもよい。
【符号の説明】
【００４６】
１…エンジン、２…電子ガバナ、３…駆動源側配線、４…第１コネクタ、５…第２コネクタ、６…第３コネクタ、７…第４コネクタ、８…コントローラ、９…コントローラ側配線、１０…被選択回路、１１…選択回路、１２…アイドリング回路、１３…作業回路、１４，１５，１６，１７…第１選択回路、１８，１９，２０，２１…第２選択回路、２２，２３…ＧＮＤ、２４…メータパネル、２５…コンプレッサ、２６…メインスイッチ、２７…回転数調整スイッチ（出力値調整手段、微調整手段）、２８…画面切替スイッチ（決定記憶手段、決定記憶スイッチ）、２９…メータ画面、３０…制御部、３１…動力取出装置、３２…切替スイッチ、３３…記憶手段
【図１】
2020002846.tif 000003
【図２】
2020002846.tif 000004
【図３】
2020002846.tif 000005
【図４】
2020002846.tif 000006
【図５】
2020002846.tif 000007
【図６】
2020002846.tif 000008
【図７】
2020002846.tif 000009
【図８】
2020002846.tif 000010